(57)【要約】【課題】  水を磁気により処理する装置において、給水管等に装着するときに水路の位置を磁束の集中する部分に設定する作業を自動的にかつ正確に行うことができるようにし、装置を装着した後に固定具が緩んだ場合にも給水管の水路と永久磁石の位置のずれを防止し、給水管からの装置の脱落を確実に防止できるようにする。【解決手段】  水処理装置(M)は間隔の調整と固定が可能な一対の挟持ブロック(1,1a)を備えている。両挟持体(1,1a)の対向する部分には永久磁石が設けてある。両挟持ブロック(1,1a)の間には位置決め部材(2,2a)が設けてあり、位置決め部材(2,2a)の両側には、両挟持ブロック(1,1a)の間隔が拡大または縮小するとその動きに追従して位置決め部材(2,2a)の間隔も拡大または縮小するように形成された溝(20,21)が設けてある。給水管は、両挟持ブロック(1,1a)の間と両位置決め部材(2,2a)の間の空間部に位置させるようにしてある。【選択図】        図１
2006026535.tif 000002
【特許請求の範囲】
【請求項１】
給液管の両側に配される一対の挟持体(1,1a)を備えており、
両挟持体(1,1a)は互いの間隔の調整及び固定が可能であり、
両挟持体(1,1a)の対向する部分には永久磁石(17)が設けてあり、
両挟持体(1,1a)の間には位置決め部材(2,2a)が設けてあり、
位置決め部材(2,2a)は、両挟持体(1,1a)の間隔を変動させることに伴い同様に変動するよう構成してあり、
両挟持体(1,1a)の間と位置決め部材(2,2a)の間での空間部に給液管を位置させることができるよう構成されていることを特徴とする、
流体処理装置。
【請求項２】
給液管の両側に配される一対の挟持体(1,1a)を備えており、
両挟持体(1,1a)は互いにスライド可能な連結部材(11)を有して間隔の調整ができると共に両挟持体(1,1a)は上記連結部材(11)を固定具(3,3a)で止めることにより間隔の固定ができるようにしてあり、
両挟持体(1,1a)の対向する部分には永久磁石(17)が設けてあり、
両挟持体(1,1a)の間には給液管を挟む位置に位置決め部材(2,2a)が設けてあり、
上記位置決め部材(2,2a)の両側には、両挟持体(1,1a)の間隔が拡大または縮小するとその動きに追従して位置決め部材(2,2a)の間隔も拡大または縮小するように形成された溝(20,21)が設けてあり、
該溝(20,21)を両挟持体(1,1a)に設けてある係合部(200)にスライド可能に係合させて位置決め部材(2,2a)は両挟持体(1,1a)の間に設けられており、
両挟持体(1,1a)の間と両位置決め部材(2,2a)の間の空間部に給液管を位置させることができるよう構成されていることを特徴とする、
流体処理装置。
【請求項３】
連結部材(11)は挟持体(1,1a)の厚みより薄く形成され、固定具(3,3a)がその段差部(102,103)に収まり挟持体(1,1a)の厚みから突出しないようにしてあることを特徴とする、
請求項２記載の流体処理装置。
【請求項４】
両挟持体(1,1a)の間隙と、位置決め部材(2,2a)同士の間隙が本質的に同じになるように構成されていることを特徴とする、
請求項１、２または３記載の流体処理装置。
【請求項５】
挟持体(1,1a)にはワイヤ錠(4)のワイヤ(40)を通すための挿通部(14)が設けてあることを特徴とする、
請求項１、２、３または４記載の流体処理装置。
【発明の詳細な説明】
【技術分野】
【０００１】
本発明は流体処理装置に関するものである。更に詳しくは、水等の流体を磁気により処理する装置であって、給水管等に装着するときに水路の位置を磁束の集中する部分に設定する作業を自動的にかつ正確に行うことができるようにしたものに関する。また、流体処理装置を装着した後に固定具が緩んだ場合にも、装置の脱落を確実に防止できるようにしたものに関する。
【背景技術】
【０００２】
近年における全地球的な環境の悪化は、生命を維持していく上で欠かせない水にも重大で深刻な影響を与えている。このように水の汚染が懸念される中で、様々な機器を使用して、水を飲用等、生活水として適するよう改質する技術に対して、社会的な関心もますます高まっている。
【０００３】
飲料水等の生活水として水を改質する手段としては、例えば水をフィルターに通して不純物を除去する方法や、水を電気的に還元してアルカリイオン水を得る方法等があるが、最近では水を強い磁場に通して処理する磁気処理が注目されている。
磁気処理された水は、分子が磁気の作用を受けることにより、例えば洗濯物の汚れ落ちが良くなったり、浴槽に汚れが付着しにくくなったり、飲料水としても味がまろやかになるといわれている。
このような水処理装置としては、例えば特許文献１に記載されたものがある。
【０００４】
特許文献１に記載された水処理装置は、二つの永久磁石をそれぞれ金属製のホルダで保持し、ホルダにスライド機構を設けることにより永久磁石の間隔を調整できるようにしたもので、蝶ネジを締め付けて間隔を固定できる。この水処理装置は、各永久磁石の内面に設けてある浅い凹部を給水管に合わせて挟持し装着するようになっている。
【０００５】
【特許文献１】特開２０００−２１８２７６
【発明の開示】
【発明が解決しようとする課題】
【０００６】
しかしながら、特許文献１記載の水処理装置には次のような課題があった。
水処理装置は、両永久磁石で給水管を跨ぐようにして嵌め入れ、更に両永久磁石の凹部で給水管を挟むようにして位置を決め、蝶ネジの固定力をもって永久磁石の間隔を固定することによって装着するようになっている。
【０００７】
この構造によると、両永久磁石の内面に設けてある凹部が給水管の各サイズに対応しているわけではなく、位置が確実に決まる構造ではないため、給水管に装着する場合、手で高さを調整する方法では、装置が上下にずれやすく位置決めがしにくい。
また、給水管に装着後、振動等によって蝶ネジが緩んでしまった場合、両永久磁石が離れて取付力が弱くなり、水処理装置が落ち込んで給水管の水路の位置から永久磁石の磁場の強い部分がずれてしまったり、装置自体が給水管から脱落することがある。
【０００８】
（本発明の目的）
本発明の目的は、水等の流体を磁気により処理する装置であって、流体処理装置を給液管等に装着するときに液路の位置を磁束の集中する部分に設定する作業を自動的にかつ正確に行うことができるようにすることである。
また、流体処理装置を装着した後に固定具が緩んだ場合にも、給液管の液路と永久磁石の磁場の強い部分との位置のずれを防止し、更に給液管からの装置の脱落を確実に防止できるようにすることである。
【課題を解決するための手段】
【０００９】
上記課題を解決するために本発明が講じた手段は次のとおりである。
第１の発明にあっては、
給液管の両側に配される一対の挟持体を備えており、
両挟持体は互いの間隔の調整及び固定が可能であり、
両挟持体の対向する部分には永久磁石が設けてあり、
両挟持体の間には位置決め部材が設けてあり、
位置決め部材は、両挟持体の間隔を変動させることに伴い同様に変動するよう構成してあり、
両挟持体の間と位置決め部材の間での空間部に給液管を位置させることができるよう構成されていることを特徴とする、
流体処理装置である。
【００１０】
第２の発明にあっては、
給液管の両側に配される一対の挟持体を備えており、
両挟持体は互いにスライド可能な連結部材を有して間隔の調整ができると共に両挟持体は上記連結部材を固定具で止めることにより間隔の固定ができるようにしてあり、
両挟持体の対向する部分には永久磁石が設けてあり、
両挟持体の間には給液管を挟む位置に位置決め部材が設けてあり、
上記位置決め部材の両側には、両挟持体の間隔が拡大または縮小するとその動きに追従して位置決め部材の間隔も拡大または縮小するように形成された溝が設けてあり、
該溝を両挟持体に設けてある係合部にスライド可能に係合させて位置決め部材は両挟持体の間に設けられており、
両挟持体の間と両位置決め部材の間の空間部に給液管を位置させることができるよう構成されていることを特徴とする、
流体処理装置である。
【００１１】
第３の発明にあっては、
連結部材は挟持体の厚みより薄く形成され、固定具がその段差部に収まり挟持体の厚みから突出しないようにしてあることを特徴とする、
第２の発明に係る流体処理装置である。
【００１２】
第４の発明にあっては、
両挟持体の間隙と、位置決め部材同士の間隙が本質的に同じになるように構成されていることを特徴とする、
第１、第２または第３の発明に係る流体処理装置である。
【００１３】
第５の発明にあっては、
挟持体にはワイヤ錠のワイヤを通すための挿通部が設けてあることを特徴とする、
第１、第２、第３または第４の発明に係る流体処理装置である。
【００１４】
（作用）
本発明に係る流体処理装置の作用を説明する。なお、ここでは、本発明の各構成要件のそれぞれに、後述する実施の形態において各部に付与した符号を対応させて付与し説明するが、この符号の付与は、あくまで説明の理解を助けるためであって各構成要件の上記各部への限定を意味するものではない。また、処理の対象となる流体は、例えば水であるが、その他ガソリン等の燃料等の処理も可能であり、特に限定するものではない。
【００１５】
流体処理装置は、給液管（給水管等）や、給水管の場合では水量メーターの近傍にある六角ナット等に装着して使用する。例えば、六角ナットへの装着は次のように行う。
まず、挟持体から位置決め部材を取り外す。
次に、固定具等を緩めて挟持体の間隔を調整できるようにし、挟持体の間隔を拡げて両挟持体で六角ナットを挟むように位置させる。なお、説明で使用する「挟む」の用語は、部材同士を接触させて挟む意味と、隙間を空けて挟む意味を含む。
【００１６】
挟持体に、給液管を挟むようにして位置決め部材を取り付ける。
挟持体の間隔を狭めて両挟持体の内面を六角ナットの対向する平行面に接面させる。このとき、両挟持体と両位置決め部材は拡大・縮小方向に連動し、位置決め部材の間隔も狭まり、両位置決め部材によって本質的に挟まれる給液管の位置が永久磁石の位置と重なる位置に自動的に設定される。そして、固定具等で止めて両挟持体の間隔を固定する。
【００１７】
流体処理装置を装着した後、振動等、何らかの理由で固定具等が緩んだ場合、両挟持体の間隔がやや広くなるが、これにより装置が多少下方へ落ち込んでも上部側の位置決め部材が給液管等に当たって停止するので、大きな落ち込みにはならず、給液管の液路と永久磁石の磁場の強い部分との位置のずれを防止できる。
また、両位置決め部材は給液管等を挟むように位置しているので、装置がバランスを崩して反転したとしても、両挟持体間の開放部には位置決め部材があるので、給液管等から脱落することもない。
【００１８】
連結部材は挟持体の厚みより薄く形成され、固定具がその段差部に収まり挟持体の厚みから突出しないようにしてあるものは、例えば挟持体を装着する隙間に余裕がなく、ぎりぎりで挿入できたような場合でも、固定具を操作するスパナ等の工具を入れるための作業空間が確保できる。
また、固定具が突出していないため、少なくとも挟持体の厚みが入る隙間があれば支障なく装着可能である。
【００１９】
両挟持体の間隙と、位置決め部材同士の間隙が本質的に同じになるように構成されているものは、例えば流体処理装置を円管状の給液管に直接装着する場合に、両挟持体だけでなく両位置決め部材も給液管表面に当接させることができるので、装着時の装置の位置決めをより確実に行うことができる。
【００２０】
挟持体にはワイヤ錠のワイヤを通すための挿通部が設けてあるものは、給液管等に装着した後でワイヤ錠を取り付けることにより、流体処理装置の盗難を防止することができる。
【発明の効果】
【００２１】
本発明の効果は次の通りである。
（ａ）本発明に係る流体処理装置は、給液管や、給水管の場合では水量メーターの近傍にある六角ナット等に装着する時に、挟持体の間隔を狭めて両挟持体の内面を給液管や六角ナットに接面させることによって位置決め部材の間隔も決まり、両位置決め部材によって本質的に挟まれる給液管の位置すなわち液路の位置を永久磁石の位置と重なる位置すなわち磁束が集中する位置に自動的に設定することができる。
【００２２】
（ｂ）流体処理装置を装着した後、振動等、何らかの理由で固定具等が緩んだ場合、両挟持体の間隔がやや広くなるが、これにより装置が多少下方へ落ち込んでも上部側の位置決め部材が給液管等に当たって停止するので、大きな落ち込みにはならず、給液管の液路と永久磁石の磁場の強い部分との位置のずれを防止できる。
また、両位置決め部材は給液管等を挟むように位置しているので、装置がバランスを崩して反転したとしても、両挟持体間の開放部には位置決め部材があるので、給液管等から脱落することもない。
【００２３】
（ｃ）連結部材は挟持体の厚みより薄く形成され、固定具がその段差部に収まり挟持体の厚みから突出しないようにしてあるものは、例えば挟持体を装着する隙間に余裕がなく、ぎりぎりで挿入できたような場合でも、固定具を操作するスパナ等の工具を入れるための作業空間が確保できる。これにより、上記のような場合にも作業が可能である。
また、固定具が突出していないため、少なくとも挟持体の厚みが入る隙間があれば支障なく装着可能であり、例えば固定具が邪魔になって挟持体が傾いてしまう等の不都合は生じない。
【００２４】
（ｄ）両挟持体の間隙と、位置決め部材同士の間隙が本質的に同じになるように構成されているものは、例えば流体処理装置を円管状の給液管に直接装着する場合に、両挟持体だけでなく両位置決め部材も給液管表面に当接させることができるので、装着時の装置の位置決めをより確実に行うことができる。
【００２５】
（ｅ）挟持体にはワイヤ錠のワイヤを通すための挿通部が設けてあるものは、給液管等に装着した後でワイヤ錠を取り付けることにより、流体処理装置の盗難を防止することができる。
【発明を実施するための最良の形態】
【００２６】
本発明を図に示した実施例に基づき詳細に説明する。
【実施例】
【００２７】
図１は本発明に係る水処理装置の一実施の形態を示す正面側斜視図、
図２は水処理装置の背面側斜視図、
図３は位置調整板を取り外した状態の正面図、
図４は位置調整板を取り外した状態の背面図、
図５は位置調整板を取り外した状態の平面図である。
【００２８】
図６は断面図を示し、（ａ）は図３におけるＡ−Ａ断面図、（ｂ）はＢ−Ｂ断面図、（ｃ）はＣ−Ｃ断面図、（ｄ）はＤ−Ｄ断面図、
図７は断面図を示し、（ｅ）は図３におけるＥ−Ｅ断面図、（ｆ）は図５におけるＦ−Ｆ断面図、
図８は挟持ブロックと位置決め板の動きを示し、（ａ）は径小の給水管に合わせた説明図、（ｂ）は径大の給水管に合わせた説明図である。
【００２９】
流体処理装置である水処理装置Ｍは、永久磁石１７を内蔵した一対の挟持ブロック１、１ａと位置決め板２、２ａ、２ｂ、２ｃ及び固定具であるボルト・ナット３、３ａを備えている。
挟持ブロック１、１ａはほぼ同様の構造を有しているので、構造の詳細については、一方の挟持ブロック１についてのみ説明する。なお、図面において、他方の挟持ブロック１ａの各部には、挟持ブロック１と同一または同等箇所に同一の符号を付して示している。
【００３０】
挟持ブロック１は、内部に収容されている永久磁石１７とヨーク１８を除いてアルミニウム合金で精密鋳造（ダイキャスト）されている。挟持ブロック１は、ほぼ直方体形状の本体１０を有している。本体１０の上部には、外方側の一部を除いて薄厚かつ同厚に形成され、更に本体１０の幅のほぼ二倍の長さまで横方向に延長されて連結部材１１が形成されている。
【００３１】
連結部材１１の上辺部は水平に設けられ、先端部は半円形状に形成されている。連結部材１１の下辺部は、本体１０から突出した基部側が本体１０の上面１０１よりやや低い位置まで上下に幅広くなるよう形成され、先部が本体１０の上面１０１よりやや高い位置に上下にやや幅狭となるよう形成されている。
【００３２】
連結部材１１は、本体１０の厚み方向において一方側へやや偏った位置に設けてあり、他方の挟持ブロック１ａと厚みを合わせて組み合わせるときに、双方の連結部材１１が本体１０の厚み内の中央部分に収まるように形成されている。また、連結部材１１を表裏方向に挟む切欠部１０２、１０３の隅部は円弧面状に形成されており、連結部材１１の半円形状の先部が収まるようにしてある。
【００３３】
連結部材１１の先部側と中間部の二箇所には、長孔１２、１３が連結部材１１の方向と平行かつ同じ直線上に設けられている。長孔１２、１３の長さは同じであり、両端部は半円形状に形成されている。
【００３４】
本体１０の上部外側寄りには、本体１０の表裏面１０４、１０５を貫通して円形の挿通孔１４が設けてある。挿通孔１４は、後述するように、盗難防止用のワイヤ錠４のワイヤ４０を通すために使用されるものである。
【００３５】
また、本体１０の表裏面１０４、１０５には幅方向中間部の上下に螺子孔１５、１６がそれぞれ設けられている。螺子孔１５、１６は、後述するように、位置決め板２、２ａ、２ｂ、２ｃを取り付けるための螺子２００を螺合するものである。
【００３６】
本体１０の挟持面１０６には、開口部が長方形である収容孔１０７が形成されている。収容孔１０７の口縁部には蓋嵌合凹部１０８が浅く設けられている。蓋嵌合凹部１０８は横方向の二辺側は幅広であり、縦方向の二辺側は幅狭である。蓋嵌合凹部１０８の四隅部には、螺子孔（図では見えない）がそれぞれ設けてある。
【００３７】
収容孔１０７には、直方体形状の永久磁石１７とそれを保持するヨーク１８が蓋嵌合凹部１０８とほぼ面一の面まで収容されている。永久磁石１７としては、本実施の形態では磁力が極めて強いネオジウムマグネットが採用されているが、他の種類のマグネットでもよい。
【００３８】
ヨーク１８は鉄製で、直方体の広面の一方側に全長にわたり縁部が平行な溝１８０を設けた構造である。永久磁石１７は直方体で、溝１８０に嵌め込まれて一体化されている。永久磁石１７は、一部が溝１８０の縁部から厚み方向に突出している。また、永久磁石１７の長さは溝１８０の長さよりやや短く形成されており、それにより溝１８０の両端側に生じる段差部分には鉄製で長方形状のヨーク板１８１、１８２が嵌め入れてある。
【００３９】
挟持ブロック１、１ａが非磁性体であるアルミニウム合金でつくられていることと、ヨーク１８、ヨーク板１８１、１８２の作用により、永久磁石１７を対向させたときの磁束の拡がり（または膨らみ）を抑制することによって、水を処理する位置にある磁束の密度を高めて処理性能を増大させることができるようになっている。
【００４０】
永久磁石１７とそれを保持するヨーク１８は、ヨーク１８を収容孔１０７の孔奥側にして収容されている。収容孔１０７の内壁と永久磁石１７、ヨーク１８との間の隙間には、防振、防水のためのシリコンＳが充填されている。蓋嵌合凹部１０８には長方形状の蓋板１９が被せられ、各螺子孔に螺子１００により止められている。
【００４１】
そして、挟持ブロック１に挟持ブロック１ａを組み合わせる。具体的には、挟持ブロック１と挟持ブロック１ａの連結部材１１同士を図に示すように接面させ、更に長孔１２、１２、及び長孔１３、１３間にボルト・ナット３、３ａをそれぞれ通して装着する。ボルト・ナット３、３ａは、連結部材１１を表裏方向に挟む切欠部１０２、１０３に収まり、表裏面１０４、１０５から厚み方向へ突出しないようにしてある。
【００４２】
位置決め板２、２ａ、２ｂ、２ｃは、螺子２００によって螺子孔１５、１５、及び螺子孔１６、１６間に渡して取り付けられるものである。位置決め板２、２ａ、２ｂ、２ｃは、装着の際、必ずしも全部が使用されるわけではなく、必要に応じて一枚、二枚、三枚または四枚が使用される。
位置決め板２、２ａ、２ｂ、２ｃは、それぞれ同じ構造であるので、構造については位置決め板２を例にとり説明する。また、図において、位置決め板２ａ、２ｂ、２ｃには、位置決め板２と同一または同等箇所に同一の符号を付して示している。
【００４３】
位置決め板２は、アルミニウム合金製の板体である。位置決め板２は、所要の長さに形成され、長さ方向の両端側には長孔状の調整孔２０、２１がそれぞれ長手方向に対し同じ角度で反対方向に傾斜して設けられている。また、位置決め板２の中間部分は、一方側（調整孔２０、２１の間隔が近い側）の縁辺が凹むよう湾曲させてある。湾曲部の作用によりボルト・ナット３、３ａを締め付けたり緩めたりするときの作業空間が広くなる。また、他方側（調整孔２０、２１の間隔が遠い側）の縁辺は直線状に形成されている。この直線錠の縁辺２２が、給水管５に当接する部分となる。
【００４４】
調整孔２０、２１の孔幅は、位置決め板２を固定する螺子２００の外径よりやや広く形成されている。これにより、螺子２００を締め付けない状態では、位置決め板２は調整孔２０、２１をガイドにして螺子２００に対してスライドし姿勢を変えることができる。
位置決め板２は、挟持ブロック１と挟持ブロック１ａの本体１０の表面１０４に設けてある螺子孔１５、１５間に螺子２００で取り付けられている。また、螺子孔１６、１６間には、形状が対称形となるように位置決め板２ａが取り付けられている。
【００４５】
また、裏面１０５側の螺子孔１５、１５間には位置決め板２ｂが同様に取り付けられ、螺子孔１６、１６間には、形状が対称形となるように位置決め板２ｃが取り付けられている。螺子孔１５、１６の位置、位置決め板２、２ａ、２ｂ、２ｃの長さ、調整孔２０、２１の傾斜角度等は、挟持ブロック１と挟持ブロック１ａをスライドさせて挟持面１０６間の間隔を調整したとき、位置決め板２、２ａの縁辺２２の間隔と、位置決め板２ｂ、２ｃの縁辺２２の間隔が、挟持面１０６の間隔と本質的に同じになるように寸法が調整されている（図８参照）。なお、上記双方の間隔は同じでなく異なっていてもよい。
【００４６】
（作用）
以下、いくつかの取付パターン別に水処理装置Ｍの取付方法と作用を説明する。
図９は水処理装置を集合住宅の水量メーター近傍の六角ナットに装着した状態を示す説明図である。
【００４７】
水処理装置Ｍは、給水管５や水量メーター５０の近傍にある六角ナット５１等に装着して使用する。例えば、マンション等の集合住宅に設置されている水量メーター５０の近傍の六角ナット５１への装着は次のように行う。
【００４８】
（１）まず、挟持ブロック１、１ａから位置決め板２、２ａ、２ｂ、２ｃを取り外す。
（２）ボルト・ナット３、３ａを緩めて挟持ブロック１、１ａの間隔を調整できるようにし、挟持ブロック１、１ａの間隔を拡げて両挟持ブロック１、１ａで六角ナット５１を挟むように位置させる。
【００４９】
（３）挟持ブロック１、１ａに、給水管５を挟むようにして位置決め板２、２ａと位置決め板２ｂ、２ｃを螺子２００で取り付ける。このとき、螺子２００は緩めておき、調整孔２０、２１がスライドできるようにしておく。
【００５０】
（４）挟持ブロック１、１ａの間隔を狭めて挟持ブロック１、１ａの挟持面１０６を六角ナット５１の対向する平行面に接面させる。このとき、位置決め板２、２ａの間隔と位置決め板２ｂ、２ｃの間隔も狭まり、各位置決め板２、２ａ、２ｂ、２ｃによって本質的に挟まれる給水管５の水路の位置が永久磁石１７の位置と重なる位置に自動的に設定される。そして、ボルト・ナット３、３ａで止めて挟持ブロック１、１ａの間隔を固定し、装着が完了する。なお、この取付構造では挟持ブロック１、１ａの間隔が多少開いても、六角ナット５１の最大径以内であれば、装置のバランスが崩れても反転してしまうことはない。
【００５１】
水処理装置Ｍを装着した後、振動等、何らかの理由でボルト・ナット３、３ａが緩んだ場合、装置が多少落ちても上部側の位置決め板２が給水管５等に当たって停止するので、大きな落ち込みにはならず、給水管５の水路と永久磁石１７の磁場の強い部分との位置のずれを防止できる。また、位置決め板２、２ａと位置決め板２ｂ、２ｃは給水管５を挟むように位置しており、装置がバランスを崩して反転したとしても、両挟持ブロック１、１ａ間の開放部には位置決め板２ａ、２ｃがあるので、六角ナット５１及び給水管５から脱落することもない。
【００５２】
図１０は水処理装置を給水管に直接装着した状態を示す説明図である。
【００５３】
水処理装置Ｍを円管状の給水管５に直接装着する場合は、上記六角ナット５１に装着する場合と大体において同様の手順で装着することができる。
なお、水処理装置Ｍは、挟持ブロック１、１ａの間隔と位置決め板２、２ａ（位置決め板２ｂ、２ｃ）の間隔が四方向へ連動して拡大・縮小する。
【００５４】
また、挟持ブロック１、１ａの間隙（挟持面１０６同士の間隔）と、位置決め板２、２ａの間隙と位置決め板２ｂ、２ｃの間隙が本質的に同じになる。これにより、水処理装置Ｍを円管状の給水管５に直接装着する場合に、挟持ブロック１、１ａだけでなく位置決め板２、２ａ及び位置決め板２ｂ、２ｃも給水管５表面に当接させることができるので、装着時の装置の位置決めをより確実に行うことができる。
【００５５】
図１１は水処理装置を収納ボックス内の水量メーター近傍の六角ナットに装着した状態を示す説明図、
図１２は水処理装置にワイヤ錠をかけた状態を示す説明図である。
【００５６】
水処理装置Ｍを収納ボックス６内の水量メーター５０近傍の六角ナット５１に取り付ける場合、特に収納ボックス６が小さく、水処理装置Ｍの装着スペース及び作業スペースが狭い場合は、図１１に示すように位置決め板２、２ａ、２ｂ、２ｃを使用しないで装着するようにしてもよい。
【００５７】
なお、水処理装置Ｍは、連結部材１１が挟持ブロック１、１ａの本体１０の厚みより薄く形成され、ボルト・ナット３、３ａがその段差部である切欠部１０２、１０３に収まり挟持ブロック１、１ａの厚みから突出しないようにしてあるので、上記のように狭い収納ボックス６に収納する場合のように、挟持ブロック１、１ａを装着する隙間に余裕がなく、ぎりぎりで挿入できたような場合でも、ボルト・ナット３、３ａを操作するスパナ等の工具を入れるための作業空間が確保できる。
また、ボルト・ナット３、３ａが突出していないため、少なくとも挟持ブロック１、１ａの厚みが入る隙間があれば支障なく装着可能であり、例えばボルト・ナット３、３ａが邪魔になって挟持ブロック１、１ａが傾いてしまう等の不都合は生じない。
【００５８】
更に、挟持ブロック１、１ａにはワイヤ錠４のワイヤ４０を通すための挿通孔１４部が設けてあるので、給水管５や六角ナット５１等に装着した後でワイヤ錠４を取り付けることにより、水処理装置Ｍの盗難を防止することができる。
【００５９】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６０】
【図１】本発明に係る水処理装置の一実施の形態を示す正面側斜視図。
【図２】水処理装置の背面側斜視図。
【図３】位置調整板を取り外した状態の正面図。
【図４】位置調整板を取り外した状態の背面図。
【図５】位置調整板を取り外した状態の平面図。
【図６】断面図を示し、（ａ）は図３におけるＡ−Ａ断面図、（ｂ）はＢ−Ｂ断面図、（ｃ）はＣ−Ｃ断面図、（ｄ）はＤ−Ｄ断面図。
【図７】断面図を示し、（ｅ）は図３におけるＥ−Ｅ断面図、（ｆ）は図５におけるＦ−Ｆ断面図。
【図８】挟持ブロックと位置決め板の動きを示し、（ａ）は径小の給水管に合わせた説明図、（ｂ）は径大の給水管に合わせた説明図。
【図９】水処理装置を集合住宅の水量メーター近傍の六角ナットに装着した状態を示す説明図。
【図１０】水処理装置を給水管に直接装着した状態を示す説明図。
【図１１】水処理装置を収納ボックス内の水量メーター近傍の六角ナットに装着した状態を示す説明図。
【図１２】水処理装置にワイヤ錠をかけた状態を示す説明図。
【符号の説明】
【００６１】
Ｍ  水処理装置
１、１ａ  挟持ブロック
１０  本体
１００  螺子
１０１  上面
１０２、１０３  切欠部
１０４  表面
１０５  裏面
１０６  挟持面
１０７  収容孔
１０８  蓋嵌合凹部
１１  連結部材
１２、１３  長孔
１４  挿通孔
１５、１６  螺子孔
１７  永久磁石
１８  ヨーク
１８０  溝
１８１  ヨーク板
１９  蓋板
２ａ、２ｂ、２ｃ、２ｄ  位置決め板
２０、２１  調整孔
２２  縁辺
２００  螺子
３、３ａ  ボルト・ナット
４  ワイヤ錠
４０  ワイヤ
５  給水管
５０  水量メーター
５１  六角ナット
Ｓ  シリコン
６  収納ボックス
【図１】
2006026535.tif 000003
【図２】
2006026535.tif 000004
【図３】
2006026535.tif 000005
【図４】
2006026535.tif 000006
【図５】
2006026535.tif 000007
【図６】
2006026535.tif 000008
【図７】
2006026535.tif 000009
【図８】
2006026535.tif 000010
【図９】
2006026535.tif 000011
【図１０】
2006026535.tif 000012
【図１１】
2006026535.tif 000013
【図１２】
2006026535.tif 000014